(57)【要約】【課題】キャップ装着時、通気孔を指や手のひら等で塞がず、キャップ内の空気を加圧することを回避するとともに、キャップ上面の優れた外観性を得る。【解決手段】キャップ本体の閉塞壁上面にキャップ本体内部と外部とを連通させる通気孔２２・３２を開口させる。キャップ本体内に軸方向に可動の内キャップ４を設ける。筆記具本体９のペン先９１側に装着した際、内キャップ４に設けたシール部４１ａにより前記通気孔を塞ぐ。貫通孔６１を有する天冠６をキャップ本体の上面に取り付ける。天冠６によりキャップ本体の上面を覆う。天冠６の貫通孔６１とキャップ本体の通気孔とによりキャップ本体内部と外部とを連通する第一の空気通路７を形成する。天冠６下面とキャップ本体上面との間に、前記第一の空気通路７とキャップ本体外部とを連通する第二の空気通路８を形成する。【選択図】  図１
0003146371.tif 000002
【実用新案登録請求の範囲】
【請求項１】
キャップ本体の閉塞壁上面にキャップ本体内部とキャップ本体外部とを連通させる通気孔を開口させ、前記キャップ本体内に軸方向に可動の内キャップを設け、筆記具本体のペン先側に装着した際、前記内キャップに設けたシール部により前記通気孔を塞いでなる筆記具用キャップであって、貫通孔を有する天冠をキャップ本体の上面に取り付け、前記天冠によりキャップ本体の上面を覆い、前記天冠の貫通孔とキャップ本体の通気孔とによりキャップ本体内部とキャップ本体外部とを連通する第一の空気通路を形成し、前記天冠下面とキャップ本体上面との間に、前記第一の空気通路とキャップ本体外部とを連通する第二の空気通路を形成してなることを特徴とする筆記具用キャップ。
【請求項２】
キャップ本体の閉塞壁上面にキャップ本体内部とキャップ本体外部とを連通させる通気孔を開口させ、前記キャップ本体内に軸方向に可動の内キャップを設け、筆記具本体のペン先側に装着した際、前記内キャップに設けたシール部により前記通気孔を塞いでなる筆記具用キャップであって、前記キャップ本体が第一の筒体と該第一の筒体の上端部に固着される第二の筒体とからなるとともに、前記通気孔が第一の通気孔と第二の通気孔とからなり、前記第一の筒体の閉塞壁上面に、第一の筒体内部と第一の筒体外部とを連通させる第一の通気孔を開口させ、前記第一の筒体内に軸方向に可動の内キャップを設け、前記第二の筒体の閉塞壁上面に、第二の筒体内部と第二の筒体外部とを連通させる第二の通気孔を開口させ、貫通孔を有する天冠を第二の筒体の上面に取り付け、前記天冠により第二の筒体の上面を覆い、前記天冠の貫通孔、第二の筒体の第二の通気孔、及び第一の筒体の第一の通気孔によりキャップ本体内部とキャップ本体外部とを連通する第一の空気通路を形成し、前記天冠下面と第二の筒体上面との間に、前記第一の空気通路とキャップ本体外部とを連通する第二の空気通路を形成してなることを特徴とする筆記具用キャップ。
【請求項３】
キャップ本体にクリップが取り付けられ、前記クリップと前記天冠が金属材料により一体に形成される請求項１または２記載の筆記具用キャップ。
【考案の詳細な説明】
【技術分野】
【０００１】
本考案は、筆記具用キャップに関する。詳細には、キャップ本体の閉塞壁上面にキャップ本体内部とキャップ本体外部とを連通させる通気孔を開口させ、前記キャップ本体内に軸方向に可動の内キャップを設け、筆記具本体のペン先側に装着した際、前記内キャップに設けたシール部により前記通気孔を塞いでなる筆記具用キャップに関する。
【背景技術】
【０００２】
従来のこの種の筆記具用キャップに関して、特許文献１には、キャップ装着時、通気孔を外側より指や手のひら等で塞いでキャップ内の空気が加圧されることを回避する目的で、キャップ本体の閉塞壁上面に、軸方向上方に開口し且つ径方向外方に開口する連通溝を設け、前記連通溝により、前記通気孔の内面と前記キャップ本体の径方向外面とを連通させてなる構造が開示されている。
【０００３】
【特許文献１】特開２００１−５４９９８号公報
【考案の開示】
【考案が解決しようとする課題】
【０００４】
前記従来の筆記具用キャップは、連通溝が外部より視覚されるため、キャップの上面の美観が損なわれ、また、キャップの上面をデザインする際の自由度が減少する。
【０００５】
本考案は、前記従来の問題点を解決するものであって、キャップ装着時、通気孔を指や手のひら等で塞がず、キャップ内の空気を加圧することを回避できるとともに、キャップのデザイン上の自由度が増加し、キャップ上面の優れた外観性が得られる筆記具用キャップを提供しようとするものである。
【課題を解決するための手段】
【０００６】
（構成１）
本考案は、キャップ本体の閉塞壁上面にキャップ本体内部とキャップ本体外部とを連通させる通気孔を開口させ、前記キャップ本体内に軸方向に可動の内キャップ４を設け、筆記具本体９のペン先９１側に装着した際、前記内キャップ４に設けたシール部４１ａにより前記通気孔を塞いでなる筆記具用キャップであって、貫通孔６１を有する天冠６をキャップ本体の上面に取り付け、前記天冠６によりキャップ本体の上面を覆い、前記天冠６の貫通孔６１とキャップ本体の通気孔２２・３２とによりキャップ本体内部とキャップ本体外部とを連通する第一の空気通路７を形成し、前記天冠６下面とキャップ本体上面との間に、前記第一の空気通路７とキャップ本体外部とを連通する第二の空気通路８を形成してなること（構成１）を要件とする。
【０００７】
前記構成１の筆記具用キャップ１は、キャップ装着時、第一の空気通路７の開口部（即ち天冠６の貫通孔６１）を指や手のひら等で塞いだとしても、第二の空気通路８により第一の空気通路７とキャップ本体外部とが連通されているため、キャップ内の空気が加圧されることを十分に回避できる。さらに、前記構成１の筆記具用キャップ１は、天冠６によりキャップ本体の上面を覆い、天冠６下面とキャップ本体上面との間に第二の空気通路８が形成され、第二の空気通路８が外部より視覚されないため、キャップ上面の美観が損なわれるおそれがなく、キャップ上面の外観性が向上するとともに、キャップ上面をデザインする際の自由度が増加する。
【０００８】
（構成２）
また、本考案は、キャップ本体の閉塞壁上面にキャップ本体内部とキャップ本体外部とを連通させる通気孔を開口させ、前記キャップ本体内に軸方向に可動の内キャップ４を設け、筆記具本体９のペン先９１側に装着した際、前記内キャップ４に設けたシール部４１ａにより前記通気孔を塞いでなる筆記具用キャップであって、前記キャップ本体が第一の筒体２と該第一の筒体２の上端部に固着される第二の筒体３とからなるとともに、前記通気孔が第一の通気孔２２と第二の通気孔３２とからなり、前記第一の筒体２の閉塞壁２１上面に、第一の筒体２内部と第一の筒体２外部とを連通させる第一の通気孔２２を開口させ、前記第一の筒体２内に軸方向に可動の内キャップ４を設け、前記第二の筒体３の閉塞壁３１上面に、第二の筒体３内部と第二の筒体３外部とを連通させる第二の通気孔３２を開口させ、貫通孔６１を有する天冠６を第二の筒体３の上面に取り付け、前記天冠６により第二の筒体３の上面を覆い、前記天冠６の貫通孔６１、第二の筒体３の第二の通気孔３２、及び第一の筒体２の第一の通気孔２２によりキャップ本体内部とキャップ本体外部とを連通する第一の空気通路７を形成し、前記天冠６下面と第二の筒体３上面との間に、前記第一の空気通路７とキャップ本体外部とを連通する第二の空気通路８を形成してなること（構成２）を要件とする。
【０００９】
前記構成２の筆記具用キャップ１は、キャップ装着時、第一の空気通路７の開口部（即ち天冠６の貫通孔６１）を指や手のひら等で塞いだとしても、第二の空気通路８により第一の空気通路７とキャップ本体外部とが連通されているため、キャップ内の空気加圧を十分に回避できる。さらに、前記構成２の筆記具用キャップ１は、天冠６により第二の筒体３の上面を覆い、天冠６下面と第二の筒体３上面との間に第二の空気通路８が形成され、第二の空気通路８が外部より視覚されないため、キャップ上面の美観が損なわれるおそれがなく、キャップ上面の外観性が向上するとともに、キャップ上面をデザインする際の自由度が増加する。また、前記構成２の筆記具用キャップ１は、第一の筒体２、第二の筒体３、及び天冠６の３部材からなるため、一層、キャップ全体をデザインする際の自由度が増加する。
【００１０】
（構成３）
また、前記構成１または２において、キャップ本体にクリップ５が取り付けられ、前記クリップ５と前記天冠６が金属材料により一体に形成されること（構成３）が好ましい。
【００１１】
前記構成３の筆記具用キャップ１は、金属製のクリップ５と金属製の天冠６との一体感により優れた外観性を得るとともに、クリップ５及び天冠６の組立が容易となり、製造コストを低下させることができる。
【考案の効果】
【００１２】
請求項１の筆記具用キャップによれば、キャップ装着時、第一の空気通路の開口部を指や手のひら等で塞いだとしても、第二の空気通路によりキャップ内の空気加圧を回避できる。さらに、キャップ上面の美観が損なわれるおそれがなく、キャップ上面の外観性が向上するとともに、キャップ上面をデザインする際の自由度が増加する。
【００１３】
請求項２の筆記具用キャップによれば、キャップ装着時、第一の空気通路の開口部を指や手のひら等で塞いだとしても、第二の空気通路によりキャップ内の空気加圧を回避できる。さらに、キャップ上面の美観が損なわれるおそれがなく、キャップ上面の外観性が向上するとともに、一層、キャップをデザインする際の自由度が増加する。
【００１４】
請求項３の筆記具用キャップによれば、金属製のクリップと金属製の天冠との一体感により優れた外観性を得るとともに、クリップ及び天冠の組立が容易となり、製造コストを低下させることができる。
【考案を実施するための最良の形態】
【００１５】
図１乃至図６に本考案の実施の形態を示す。
本実施の形態の筆記具用キャップ１は、主に、キャップ本体と、キャップ本体内に軸方向可動に収容される内キャップ４と、キャップ本体の外面に取り付けられるクリップ５とからなる。
【００１６】
・キャップ本体
前記キャップ本体は、上端に閉塞壁２１を備え且つ下端が開口された有底筒状の第一の筒体２と、上端に閉塞壁３１を備え且つ下端が開口された有底筒状の第二の筒体３とからなる。前記第二の筒体３が第一の筒体２の上端部に固着される。前記第一の筒体２の閉塞壁２１の中央には、第一の通気孔２２が軸方向に貫設される。前記第二の筒体３の閉塞壁３１には、軸方向に第二の通気孔３２が貫設される。
【００１７】
・第一の筒体
前記第一の筒体２内には、軸方向可動に内キャップ４が収容される。前記内キャップ４の上端には、第一の通気孔２２を閉鎖可能な弾性シール体４１が取り付けられる。前記弾性シール体４１の上端には、環状のシール部４１ａが形成されている。前記第一の筒体２内にはバネ４５（具体的には圧縮コイルスプリング）が収容される。前記内キャップ４の側壁には、前記バネ４５を受ける鍔部４２と、内キャップ４の内部と外部とを連通させる複数の窓孔４３とが形成される。前記バネ４５の上端は第一の筒体２の閉塞壁３１に当接され、前記バネ４５の下端は内キャップ４の鍔部４２に当接され、それにより、前記内キャップ４は前記バネ４５により下方に付勢される。
【００１８】
前記第一の筒体２の内周面には、内キャップ４の下端と当接して該内キャップ４の脱落を防止する抜け止め突起２３が一体に形成される。また、前記第一の筒体２の内周面には、筆記具本体９の外周面と気密嵌合する環状突起２４が一体に形成される。
【００１９】
・第二の筒体
前記第二の筒体３の閉塞壁３１の上面は、クリップ５の反対側の端部が鋭角となるように、軸線に対して傾斜面状に形成される。前記第二の筒体３の閉塞壁３１には、軸方向に第二の通気孔３２が貫設される。また、第二の筒体３の閉塞壁３１の上面には、連通溝３３が形成される。前記連通溝３３の一端が、第二の通気孔３２の内周面に開口され、前記連通溝３３の他端が、径方向外方に開口される。
【００２０】
また、前記第二の筒体３の外面には、略直方体状の取付凸部３４が一体に形成される。前記取付凸部３４は、第二の筒体３の傾斜面状の上面の鈍角側に形成される。前記取付凸部３４に、クリップ５の取付基部５２が固着される。
【００２１】
前記第二の筒体３の傾斜面状の閉塞壁３１上面には天冠６が被着される。それにより、前記連通溝３３が隠蔽され、前記連通溝３３は外部から視認されない。また、前記第二の筒体３の上面の周縁部には周壁３１ａが一体に突設される。前記周壁３１ａには、切り欠き部３１ｂが形成される。また、前記第二の筒体３の閉塞壁３１上面には、凸面３１ｃが一体に形成される。前記凸面３１ｃは、天冠６の貫通孔６１に沿った形状を有する。
【００２２】
・クリップ
前記クリップ５は、クリップ本体５１と、クリップ本体５１の下端部の裏面に一体に形成される玉部（図示せず）と、前記クリップ本体５１の上端部の裏面に一体に形成され且つ前記クリップ本体５１が第二の筒体３に取り付けられる取付基部５２と、前記取付基部５２から上方に一体に連設され且つ第二の筒体３の上面を覆う天冠６とからなる。
【００２３】
前記クリップ５は、金属板を打ち抜き加工した後、折り曲げ加工により、クリップ本体５１、天冠６、取付基部５２、及び玉部の各々が一体に形成される。
【００２４】
前記天冠６は、略円形の天板部６２と、該天板部６２と取付基部５２の上端とを連結する連結部６３とからなる。前記天冠６が、第二の筒体３の傾斜面状の上面に圧接されその上面を覆う。また、前記天冠６（天板部６２）には軸方向に貫通孔６１が貫設される。前記貫通孔６１は、結合部分がくびれた円と楕円が結合した形状(即ちひょうたん形状)を有する。
【００２５】
前記天冠６の天板部６２の周縁部が前記周壁３１ａにより包囲されるとともに、前記凸面３１ｃが天冠６の貫通孔６１内に収容される。それにより、天冠６が、第二の筒体３上面からはみ出すことなく、確実に上面の中央に配置され、上面との天冠６の径方向のずれが防止される。また、前記切り欠き部３１ｂに、連結部６３が収容され、一層、天冠６と第二の筒体３上面との圧接を確実にする。
【００２６】
前記取付基部５２は、折り曲げ加工により箱型形状に形成される。前記取付基部５２の裏面には、食いつき係止部５２ａが形成される。前記食いつき係止部５２ａが取付凸部３４の側面に食いつき係止される。
【００２７】
・第一の空気通路
前記第一の通気孔２２と第二の通気孔３２と貫通孔６１とが連通されることにより、第一の空気通路７が形成される。前記第一の空気通路７により、キャップ装着前において、キャップ本体外部とキャップ本体内部（即ち第一の筒体２内部と外気）とが連通される。
【００２８】
・第二の空気通路
前記第二の筒体３の上面の連通溝３３と天冠６下面との間には、第一の空気通路７とキャップ本体外部とを連通する第二の空気通路８が形成される。キャップ装着過程において第一の空気通路７が指や手のひら等で塞がれたとしても、前記第二の空気通路８により、キャップ本体内部とキャップ本体外部（即ち第一の筒体２内部と外気）とが連通され、キャップ本体内の空気を加圧するおそれがない。本実施の形態では、第二の空気通路８を形成するために、第二の筒体３の上面に連通溝３３を形成したが、これ以外にも天冠６の下面に連通溝を形成することもできる。また、本実施の形態では、前記第二の空気通路８は、クリップ５の取付基部５２内面と第二の筒体３の取付凸部３４の外面との間を通って外気と連通される。これ以外にも前記第二の空気通路８は、クリップ５の取付基部５２に孔を貫設し、そこから外気と連通してもよい。
【００２９】
・作用
キャップを筆記具本体９のペン先９１側に装着する以前の状態（図２）において、内キャップ４がバネ４５により下方に付勢され、該内キャップ４の下端がキャップ本体内周面の抜け止め突起２３に当接している。このとき、第一の筒体２の第一の通気孔２２外周の閉塞壁２１内面と弾性シール体４１とは非接触状態にあり、第一の通気孔２２は塞がれていない。それにより、第一の筒体２内部のペン先９１が収容される空間は、第一の空気通路７（即ち、内キャップ４の窓孔４３、第一の通気孔２２、第二の通気孔３２、及び天冠６の貫通孔６１）を通して、外気と連通している。
【００３０】
次に、キャップを筆記具本体９のペン先９１側に装着していくと、まず、筆記具本体９外面のペン先９１下方に位置する肩部９３が、内キャップ４内面の段部４４に当接し、キャップの装着過程に従って、内キャップ４が上方へ移動される。その後、図１に示すように、弾性シール体４１の上端の環状のシール部４１ａが第一の筒体２の閉塞壁２１内面に密接し、第一の通気孔２２が内側より塞がれると同時に、第一の筒体２内周面の環状突起２４が筆記具本体９外周面の環状突起９２と乗り越えて気密嵌合する。それにより、キャップ内は、外部と通気が遮断される。
【００３１】
また、本実施の形態の筆記具用キャップ１は、第二の空気通路８が外部より視覚されず、キャップ上面の美観を損なうことがなく、しかも、金属製のクリップ５と金属製の天冠６とにより、キャップ上面の優れた外観性を得る。
【００３２】
また、本実施の形態の筆記具用キャップ１は、天冠６の貫通孔６１が第二の通気孔３２の開口部より大きく設定され、外部より貫通孔６１を通して第二の筒体３の上面（即ち凸面３１ｃ）を視認することができる。前記第二の筒体３は、筆記具本体９内のインキ色と略同色に着色されているため（具体的には筆記具本体９内のインキ色と略同色に着色された合成樹脂の成形体よりなるため）、外部より貫通孔６１を通して第二の筒体３の上面のインキ色を視認することができる。さらに、前記貫通孔６１のデザイン形状により、外観性が向上する。
【図面の簡単な説明】
【００３３】
【図１】本考案の実施の形態のキャップ装着後を示す要部縦断面図である。
【図２】図１のキャップ装着前を示す要部縦断面図である。
【図３】図１の平面図である。
【図４】図１のクリップ(即ち天冠)を取り付ける前の状態を示す平面図である。
【図５】図１の側面図である。
【図６】図５の内部構造を省略したＡ−Ａ線断面図である。
【符号の説明】
【００３４】
１  筆記具用キャップ
２  第一の筒体
２１  閉塞壁
２２  第一の通気孔
２３  抜け止め突起
２４  環状突起
３  第二の筒体
３１  閉塞壁
３１ａ  周壁
３１ｂ  切り欠き部
３１ｃ  凸面
３２  第二の通気孔
３３  連通溝
３４  取付凸部
４  内キャップ
４１  弾性シール体
４１ａ  シール部
４２  鍔部
４３  窓孔
４４  段部
４５  バネ
５  クリップ
５１  クリップ本体
５２  取付基部
５２ａ  食いつき係止部
６  天冠
６１  貫通孔
６２  天板部
６３  連結部
７  第一の空気通路
８  第二の空気通路
９  筆記具本体
９１  ペン先
９２  環状突起
９３  肩部
【図１】
0003146371.tif 000003
【図２】
0003146371.tif 000004
【図３】
0003146371.tif 000005
【図４】
0003146371.tif 000006
【図５】
0003146371.tif 000007
【図６】
0003146371.tif 000008